(57)【要約】【課題】目視観察と同時に目視観察像と異なる倍率の観察像を撮像装置により良好に取得することを可能にする顕微鏡を提供する。【解決手段】倒立顕微鏡本体１はステージ２の下方にレボルバー５を有している。レボルバー５は複数の対物レンズ４を保持可能であり、レボルバー保持台６によって回転可能に支持されている。倒立顕微鏡本体１はレボルバー保持台６の下方に光路切換プリズム１３を備えている。光路切換プリズム１３は、観察位置に配置された対物レンズ４を通って延びる観察光路を、カメラポート１７を通って側方に延びるカメラ観察用光路と、下方に延びミラー２３によって折り返されて斜め上方に延びる目視観察用光路とに分割する。目視観察用光路上に目視観察用結像レンズ１５が、カメラ観察用光路上にカメラ観察用結像レンズ１６が配置されている。【選択図】      図２
2006276663.tif 000002
【特許請求の範囲】
【請求項１】
物体からの光から平行光束を作る対物レンズと、
対物レンズを通って延びる観察光路をカメラ観察用光路と目視観察用光路に分割する光路分割ユニットと、
目視観察用光路上に配置された目視観察用結像レンズと、
カメラ観察用光路上に配置されたカメラ観察用結像レンズと、
目視観察用結像レンズによって形成される像を目視観察可能にする接眼レンズとを備えている顕微鏡。
【請求項２】
請求項１において、カメラ観察用結像レンズと目視観察用結像レンズの焦点距離は異なる焦点距離を有している顕微鏡。
【請求項３】
請求項２において、カメラ観察用光路を複数に分割するカメラ観察用光路分割手段をさらに備えている顕微鏡。
【請求項４】
請求項３において、カメラ観察用結像レンズは分割される前のカメラ観察用光路に配置されている顕微鏡。
【請求項５】
請求項３において、カメラ観察用結像レンズは分割された後のカメラ観察用光路に配置されている顕微鏡。
【請求項６】
請求項５において、複数のカメラ観察用結像レンズを有し、複数のカメラ観察用結像レンズはそれぞれ複数の分割されたカメラ観察用光路に配置されている顕微鏡。
【請求項７】
請求項３において、カメラ観察用光路分割手段は、光路分割と波長分離を兼ねる光学素子を有している顕微鏡。
【請求項８】
請求項３において、少なくとも１つのカメラ観察用結像レンズは分割される前後のカメラ観察用光路にそれぞれ分離されて配置されている顕微鏡。
【請求項９】
請求項３において、複数のカメラ観察用結像レンズ（前述のカメラ観察用結像レンズを含む）を有し、複数のカメラ観察用結像レンズは分割される前のカメラ観察用光路と、それぞれ複数の分割されたカメラ観察用光路に配置されている顕微鏡。
【請求項１０】
請求項１ないし請求項９のいずれかにおいて、カメラ観察用結像レンズの少なくとも１つは、それぞれの光路に対して着脱可能に構成した顕微鏡。
【発明の詳細な説明】
【技術分野】
【０００１】
本発明は、目視観察用光路とカメラ観察用光路を有する顕微鏡に関する。
【背景技術】
【０００２】
図８は、従来例の倒立顕微鏡の側面図であり、図９はその正面図、図１０はその上面図である。図８と図９と図１０に示されるように、倒立顕微鏡本体１はステージ２を有し、ステージ２の上に標本３が載置される。また倒立顕微鏡本体１はステージ２の下方にレボルバー５を有している。レボルバー５は複数の対物レンズ４を保持可能であり、レボルバー保持台６によって回転可能に支持されている。レボルバー５に保持された複数の対物レンズ４は選択的に標本３の下方の観察位置に配置されて使用される。観察位置に配置される対物レンズ４はレボルバー５の回転によって切り換えられる。
【０００３】
レボルバー保持台６は上下に直線移動可能に支持されており、倒立顕微鏡本体１の内部に設けられた図示されないラック＆ピニオン機構を介して回転焦準ノブ７に連結されている。回転焦準ノブ７の回転運動はラック＆ピニオン機構によってレボルバー保持台６の直線運動に変換される。
【０００４】
ランプハウス８は光源９を内蔵しており、投光管１０を介して倒立顕微鏡本体１に固定されている。また倒立顕微鏡本体１は内部に、レボルバー５の下方に、ランプハウス８からの光を観察位置に配置された対物レンズ４に導くためのミラーカセット１１を備えている。ミラーカセット１１は着脱可能に固定されたミラー１２を有している。光源９を出た光は投光管１０を通ってミラーカセット１１に入り、ミラーカセット１１内のミラー１２によって観察位置に配置された対物レンズ４に向けて反射される。
【０００５】
倒立顕微鏡本体１は内部に、ミラーカセット１１の下方に、結像レンズ１４と光路切換プリズム１３を備えている。結像レンズ１４は１８０ｍｍの焦点距離を有している。光路切換プリズム１３は、観察位置に配置された対物レンズ４の光軸Ｏ上に、標本３からの光を１００％透過するプリズム１３ａと、標本３からの光を１００％または部分的にカメラポート１７に向けて反射するプリズム１３ｂを選択的に配置し得る。
【０００６】
光路切換プリズム１３は、観察位置に配置された対物レンズ４を通って延びる観察光路をカメラ観察用光路と目視観察用光路とに分割する。カメラ観察用光路は光路切換プリズム１３からカメラポート１７を通って側方に延びている。目視観察用光路は光路切換プリズム１３から下方に延び、ミラー２３によって折り返されて斜め上方に延びている。
【０００７】
斜め上方に延びている目視観察用光路上には、目視観察用結像レンズ１５によって形成される像を目視観察可能にする接眼レンズ２４が配置されている。接眼レンズ２４は倒立顕微鏡本体１に着脱可能に取り付けられている。
【０００８】
カメラポート１７にはカメラアダプター２７が取り付けられており、カメラアダプター２７にはＴＶカメラ１９とカメラ２８が取り付けられている。カメラアダプター２７は内部にカメラ観察用光路を二本に分割する光路分割用ハーフミラー１８を備えており、分割されたカメラ観察用光路上にＴＶカメラ１９とカメラ２８が位置している。光路分割用ハーフミラー１８は光を５０％反射し、５０％透過する。ＴＶカメラ１９は汎用的な高感度カメラで、例えば１５０ｍｍ×９０ｍｍ×１００ｍｍの大きさを有している。カメラ２８は汎用的なアナログカメラで、例えば８０ｍｍ×３０ｍｍ×３０ｍｍの大きさを有している。
【０００９】
光路分割用ハーフミラー１８は、結像レンズ１４から光路に沿って１３５ｍｍの位置に配置されている。カメラ２８の撮像面２８ａは、光路分割用ハーフミラー１８の反射光路上で光路分割用ハーフミラー１８から４５ｍｍの位置すなわち結像レンズ１４の結像位置に配置されている。ＴＶカメラ１９の撮像面１９ａは、光路分割用ハーフミラー１８の透過光路上で光路分割用ハーフミラー１８から４５ｍｍの位置すなわち結像レンズ１４の結像位置に配置されている。
【００１０】
標本３を出た光の一部は対物レンズ４を通って平行光束になり、ミラーカセット１１を透過し結像レンズ１４を通過して光路切換プリズム１３に入射する。光路切換プリズム１３を透過した光はミラー２３によって反射されたのち接眼レンズ２４に入射する。結像レンズ１４は入射する光を結像させ、その像は接眼レンズ２４を介して観察され得る。また、光路切換プリズム１３で反射された光はカメラポート１７を通ってカメラアダプター２７に至り、光路分割用ハーフミラー１８により分割される。光路分割用ハーフミラー１８で反射された光は撮像面２８ａに結像し、その像はカメラ２８により取得される。また、光路分割用ハーフミラー１８を透過した光は撮像面１９ａに結像し、その像はＴＶカメラ１９により取得される。
【００１１】
特開平６−２５００９３号公報は、同時に異なる倍率の試料の像を得ることができる試料検出装置を開示している。この試料検出装置では、試料からの光は対物レンズを通った後、ビームスプリッターによって三本のカメラ観察用光路に分けられる。三本のカメラ観察用光路は高倍率観察用光路と低倍率観察用光路と中倍率観察用光路であり、高倍率観察用光路には凸レンズが、低倍率観察用光路には凹レンズが設けられており、中倍率観察用光路には変倍レンズは設けられていない。
【００１２】
特開２００２−３１７５８号公報は、対物レンズを切り換える操作を必要とすることなく、低倍率で広い視野の観察と高倍率で高解像の観察とが可能な顕微鏡を開示している。この顕微鏡は、標本からの光を集光する対物レンズと、対物レンズからの光路を目視観察用光路とカメラ観察用光路に分割する光路分割素子と、カメラ観察用光路上に配置された倍率変換光学系とを有している。
【特許文献１】特開平６−２５００９３号公報
【特許文献２】特開２００２−３１７５８号公報
【発明の開示】
【発明が解決しようとする課題】
【００１３】
顕微鏡観察では低倍率の広い視野で目視観察により標本の位置を探しながら、高倍率で見たい細胞を拡大してＴＶカメラで記録する手法がよく行なわれる。
【００１４】
しかし、図８〜図１０に示される顕微鏡では、倍率の切り換えは、顕微鏡のレボルバーに低倍率の対物レンズと高倍率の対物レンズを装着しておき、レボルバーの回転操作によって低倍率の対物レンズと高倍率の対物レンズを切り換えて光路上に配置することによって行なわれる。このため、倍率変更時に時間のロスが生じる。つまり、目視観察と同時に撮像装置による観察を行なうことができない。また、対物レンズの切り換え時には少なからぬ芯ずれが生じるため、標本の観察位置にずれが生じてしまう。
【００１５】
そのため、対物レンズの切り換えによる変倍ではなく、カメラ観察用光路に変倍用レンズを設けて倍率を上げる手法が考えられるが、そのぶんレンズ枚数が増えるため像の劣化や光量のロスを生じてしまう。
【００１６】
特開平６−２５００９３号公報に開示された試料検出装置では、標本から光は対物レンズにより集められ、対物レンズを通った光は収束して結像する。この装置では、対物レンズに結像レンズが内蔵されている違いこそあれ、図１０に示されたカメラ観察用光路と実質的に同一である。各カメラの変倍は変倍レンズを使用しているため像の劣化や光量のロスを生じている。また、この装置構成は、１８０ｍｍ〜２００ｍｍ程度の焦点距離に対しては実現不可能であるため、目視観察用光路を備えた顕微鏡には適用できない。その理由は次の通りである。
【００１７】
目視観察用光路を備えた顕微鏡では、通常、１８０ｍｍ〜２００ｍｍ程度の焦点距離をもつ結像レンズが使用される。これは、結像レンズの焦点距離が非常に長いと、アイポイント位置が高くなり操作性が悪くなるからである。また、焦点距離が非常に長い結像レンズを使用しながら、アイポイント位置を最適な位置に保とうとすると、プリズムなどで何度も折り返す必要が生じ、これは像の劣化を引き起こす。このような理由から、結像レンズの焦点距離は１８０ｍｍ〜２００ｍｍ程度が最適とされている。
【００１８】
特開２００２−３１７５８号公報に開示された顕微鏡では、カメラ観察用光路に倍率変換光学系を有するため、レンズ枚数が増えることに起因して像の劣化や光量のロスが生じる。
【００１９】
本発明は、このような実状を考慮して成されたものであり、その目的は、目視観察と同時に目視観察像と異なる倍率の観察像を撮像装置により良好に取得することを可能にする顕微鏡を提供することである。
【課題を解決するための手段】
【００２０】
本発明の顕微鏡は、物体からの光から平行光束を作る対物レンズと、対物レンズを通って延びる観察光路をカメラ観察用光路と目視観察用光路に分割する光路分割ユニットと、目視観察用光路上に配置された目視観察用結像レンズと、カメラ観察用光路上に配置されたカメラ観察用結像レンズと、目視観察用結像レンズによって形成される像を目視観察可能にする接眼レンズとを備えている。
【発明の効果】
【００２１】
本発明によれば、目視観察と同時に目視観察像と異なる倍率の観察像を撮像装置により良好に取得することを可能にする顕微鏡が提供される。
【発明を実施するための最良の形態】
【００２２】
以下、図面を参照しながら本発明の実施形態について説明する。
【００２３】
［第一実施形態］
図１は、本発明の第一実施形態による倒立顕微鏡の側面図であり、図２はその正面図、図３はその上面図である。
【００２４】
図１と図２と図３に示されるように、本実施形態の倒立顕微鏡は、倒立顕微鏡本体１が定盤３６上に水平に保持されている。定盤３６の上面は高い平面度で加工されており、ネジ穴が等間隔に設けられている。倒立顕微鏡本体１はステージ２を有し、ステージ２の上に標本３が載置される。また倒立顕微鏡本体１はステージ２の下方にレボルバー５を有している。レボルバー５は複数の対物レンズ４を保持可能であり、レボルバー保持台６によって回転可能に支持されている。レボルバー５に保持された複数の対物レンズ４はレボルバー５の回転によって選択的に標本３の下方の観察位置に配置されて使用される。観察位置に配置された対物レンズ４は標本３から出る光から平行光束を作り出す。
【００２５】
レボルバー保持台６は上下に直線移動可能に支持されており、倒立顕微鏡本体１の内部に設けられた図示されないラック＆ピニオン機構を介して回転焦準ノブ７に連結されている。回転焦準ノブ７の回転運動はラック＆ピニオン機構によってレボルバー保持台６の直線運動に変換される。
【００２６】
ランプハウス８は光源９を内蔵しており、投光管１０を介して倒立顕微鏡本体１に固定されている。また倒立顕微鏡本体１は内部に、レボルバー５の下方に、ランプハウス８からの光を観察位置に配置された対物レンズ４に導くためのミラーカセット１１を備えている。ミラーカセット１１は着脱可能に固定されたミラー１２を有している。光源９を出た光は投光管１０を通ってミラーカセット１１に入り、ミラーカセット１１内のミラー１２によって観察位置に配置された対物レンズ４に向けて反射される。
【００２７】
倒立顕微鏡本体１は内部に、ミラーカセット１１の下方に、光路切換プリズム１３を備えている。光路切換プリズム１３は、観察位置に配置された対物レンズ４の光軸Ｏ上に、標本３からの光を１００％透過するプリズム１３ａと、標本３からの光を１００％または部分的にカメラポート１７に向けて反射するプリズム１３ｂを選択的に配置し得る。
【００２８】
光路切換プリズム１３は、観察位置に配置された対物レンズ４を通って延びる観察光路をカメラ観察用光路と目視観察用光路とに分割する。カメラ観察用光路は光路切換プリズム１３からカメラポート１７を通って側方に延びている。目視観察用光路は光路切換プリズム１３から下方に延び、ミラー２３によって折り返されて斜め上方に延びている。
【００２９】
倒立顕微鏡本体１はさらに、目視観察用光路上に目視観察用結像レンズ１５を備え、カメラ観察用光路上にカメラ観察用結像レンズ１６を備えている。目視観察用結像レンズ１５は光路切換プリズム１３の下方に位置し、１８０ｍｍの焦点距離を有している。カメラ観察用結像レンズ１６は光路切換プリズム１３の側方に位置し、３６０ｍｍの焦点距離を有している。
【００３０】
斜め上方に延びている目視観察用光路上には、目視観察用結像レンズ１５によって形成される像を目視観察可能にする接眼レンズ２４が配置されている。接眼レンズ２４は倒立顕微鏡本体１に着脱可能に取り付けられている。
【００３１】
カメラ観察用光路上には、倒立顕微鏡本体１の外部において、三枚の光路分割用ハーフミラー１８ａと１８ｂと１８ｃが配置されている。光路分割用ハーフミラー１８ａと１８ｂと１８ｃはそれぞれブラケット３７ａと３７ｂと３７ｃによって定盤３６に位置調整可能に固定されている。光路分割用ハーフミラー１８ａと１８ｂと１８ｃは、カメラポート１７を通って倒立顕微鏡本体１から射出される光を５０％反射し、５０％透過する。三枚の光路分割用ハーフミラー１８ａと１８ｂと１８ｃは、光路切換プリズム１３から延びるカメラ観察用光路を四本に分割する。
【００３２】
四本の分割されたカメラ観察用光路上には、それぞれＴＶカメラ１９と２０と２１と２２が配置されている。ＴＶカメラ１９と２０と２１と２２がそれぞれブラケット３８ａと３８ｂと３８ｃと３８ｄによって定盤３６に位置調整可能に固定されている。ＴＶカメラ１９と２０と２１と２２は汎用的な高感度カメラで、これに限らないが、例えば、１５０ｍｍ×９０ｍｍ×１００ｍｍの大きさを有している。
【００３３】
光路分割用ハーフミラー１８ａはカメラ観察用結像レンズ１６から１２０ｍｍの位置に配置され、カメラポート１７から射出される光を部分的に９０度反射する。光路分割用ハーフミラー１８ｂは光路分割用ハーフミラー１８ａから５０ｍｍの位置に配置され、光路分割用ハーフミラー１８ａを透過した光を部分的に９０度反射する。光路分割用ハーフミラー１８ｃは光路分割用ハーフミラー１８ｂから５０ｍｍの位置に配置され、光路分割用ハーフミラー１８ｂを透過した光を部分的に９０度反射する。光路分割用ハーフミラー１８ａと１８ｂと１８ｃの反射光路上のカメラが互いに干渉しないように、光路分割用ハーフミラー１８ａと１８ｂと１８ｃの隣接する二つの反射方向は互いに逆向きに設定されている。
【００３４】
ＴＶカメラ１９内部に設けられた撮像面１９ａは光路分割用ハーフミラー１８ａの反射光路上で光路分割用ハーフミラー１８ａから２４０ｍｍの位置に配置されている。これはカメラ観察用結像レンズ１６の結像位置である。ＴＶカメラ２０内部に設けられた撮像面２０ａは光路分割用ハーフミラー１８ｂの反射光路上で光路分割用ハーフミラー１８ｂから１９０ｍｍの位置に配置されている。これはカメラ観察用結像レンズ１６の結像位置である。ＴＶカメラ２１内部に設けられた撮像面２１ａは光路分割用ハーフミラー１８ｃの反射光路上で光路分割用ハーフミラー１８ｃから１４０ｍｍの位置に配置されている。これはカメラ観察用結像レンズ１６の結像位置である。ＴＶカメラ２２内部に設けられた撮像面２２ａは光路分割用ハーフミラー１８ｃの透過光路上で光路分割用ハーフミラー１８ｃから１４０ｍｍの位置に配置されている。これはカメラ観察用結像レンズ１６の結像位置である。
【００３５】
標本３を出た光の一部は対物レンズ４を通って平行光束になり、ミラーカセット１１を透過して光路切換プリズム１３に入射する。光路切換プリズム１３を透過した光は目視観察用結像レンズ１５を通過しミラー２３によって反射されたのち接眼レンズ２４に入射する。目視観察用結像レンズ１５は入射する光を結像させ、その像は接眼レンズ２４を介して観察され得る。
【００３６】
また、光路切換プリズム１３で反射された光はカメラ観察用結像レンズ１６を通過しカメラポート１７から倒立顕微鏡本体１の外に射出される。カメラポート１７から射出された光は光路分割用ハーフミラー１８ａにより分割され、反射された光は撮像面１９ａに結像し、その像はＴＶカメラ１９により取得される。光路分割用ハーフミラー１８ａを透過した光は光路分割用ハーフミラー１８ｂにより分割され、反射され光は撮像面２０ａに結像し、その像はＴＶカメラ２０により取得される。光路分割用ハーフミラー１８ｂを透過した光は光路分割用ハーフミラー１８ｃにより分割され、反射された光は撮像面２１ａに結像し、その像はＴＶカメラ２１により取得され、透過した光は撮像面２２ａに結像し、その像はＴＶカメラ２２により取得される。
【００３７】
一般的によく知られている焦点距離と倍率の関係式を（１）式に示す。
【００３８】
倍率Ｍ＝結像レンズの焦点距離÷対物レンズの倍率…（１）
（１）式によると対物レンズの倍率を固定して結像レンズの焦点距離を二倍に変えると倍率も二倍になる。
【００３９】
これにより、焦点距離３６０ｍｍのカメラ観察用結像レンズ１６によって結像されカメラにより取得される像の倍率は、焦点距離１８０ｍｍの目視観察用結像レンズ１５によって結像され接眼レンズにより取得される像の二倍になる。つまり、低倍率で広い視野の目視観察と高倍率のＴＶカメラ観察とが対物レンズ４を切り換えることなく行なえる。
【００４０】
また、図８〜図１０に示される倒立顕微鏡では、結像レンズ１４の焦点距離が１８０ｍｍと短いため、カメラ観察用光路上に配置できるカメラの数はせいぜい二個までである。これに対して本実施形態の倒立顕微鏡では、目視観察光路上の目視観察用結像レンズ１５とは別にカメラ観察光路上にカメラ観察用結像レンズ１６が設けられており、その焦点距離が３６０ｍｍと長いので、カメラ観察光路をハーフミラーなどによって三本以上の光路に分割できる。このため、三台以上のＴＶカメラを設置することが可能である。また、三台以上のＴＶカメラによる同時観察も可能である。
【００４１】
本実施形態では、ＴＶカメラに一般的な大きさの高感度カメラを使用し、ＴＶカメラ同士およびＴＶカメラと顕微鏡本体が互いに干渉しないように四台のＴＶカメラを設置しているが、さらに小さいＴＶカメラを使用すれば、さらに多くのカメラを設置することも可能である。
【００４２】
（第一実施形態の変形例）
本変形例の倒立顕微鏡は、図１〜図３に示された倒立顕微鏡における光路分割用ハーフミラー１８ａと１８ｂと１８ｃを、光路分割と波長分離を兼ねるダイクロイックミラーに置き換えた構成を有している。
【００４３】
光路分割用ハーフミラー１８ａに代替適用された第一のダイクロイックミラーは図４に示される波長特性を有している。また、光路分割用ハーフミラー１８ｂに代替適用された第二のダイクロイックミラーは図５に示される波長特性を有し、光路分割用ハーフミラー１８ｃに代替適用された第三のダイクロイックミラーは図６に示される波長特性を有している。
【００４４】
第一のダイクロイックミラーは、図４から分かるように、０〜４５０ｎｍの波長の光に対する透過率が低く、４５１ｎｍ以上の波長の光に対する透過率が高い。第二のダイクロイックミラーは、図５から分かるように、０〜５０５ｎｍの波長の光に対する透過率が低く、５０６ｎｍ以上の波長の光に対する透過率が高い。第三のダイクロイックミラーは、図６から分かるように、０〜６００ｎｍの波長の光に対する透過率が低く、６００ｎｍ以上の波長の光に対する透過率が高い。
【００４５】
標本３を出た光の一部は対物レンズ４を通って平行光束になり、ミラーカセット１１を透過して光路切換プリズム１３に入射する。光路切換プリズム１３を透過した光は目視観察用結像レンズ１５を通過しミラー２３によって反射されたのち接眼レンズ２４に入射する。目視観察用結像レンズ１５は入射する光を結像させ、その像は接眼レンズ２４を介して観察され得る。
【００４６】
また、光路切換プリズム１３で反射された光はカメラ観察用結像レンズ１６を通過しカメラポート１７から倒立顕微鏡本体１の外に射出される。カメラポート１７から射出された光は第一のダイクロイックミラーにより０〜４５０ｎｍの波長の光が選択的に反射され、反射された光は撮像面１９ａに結像し、その像はＴＶカメラ１９により取得される。第一のダイクロイックミラーを透過した４５１ｎｍ以上の波長の光は第二のダイクロイックミラーにより５０５ｎｍ以下の波長の光が選択的に反射され、反射され光は撮像面２０ａに結像し、その像はＴＶカメラ２０により取得される。第二のダイクロイックミラーを透過した５０６ｎｍ以上の波長の光は第三のダイクロイックミラーにより６００ｎｍ以下の波長の光が選択的に反射され、反射された光は撮像面２１ａに結像し、その像はＴＶカメラ２１により取得される。また、第三のダイクロイックミラーを透過した６００ｎｍ以上の波長の光は撮像面２２ａに結像し、その像はＴＶカメラ２２により取得される。
【００４７】
本変形例では、異なる波長の光をそれぞれ異なるカメラによって観察することが可能である。例えば、ある細胞を波長４４０ｎｍの波長の蛍光を発する蛍光色素で核を染色し、波長４８０ｎｍで光る蛍光色素で微小管を染色し、波長５４０ｎｍで光る蛍光色素でミトコンドリアを染色し、波長７００ｎｍで光る蛍光色素でアクチンを染色したとする。この場合、ＴＶカメラ１９によって核を、ＴＶカメラ２０によって微小管を、ＴＶカメラ２１によってミトコンドリアを、ＴＶカメラ２２によってアクチンを同時に観察することができる。つまり、細胞の異なる部位をそれぞれ異なるカメラで同時に観察することができる。
【００４８】
第二実施形態
図７は、本発明の第二実施形態による倒立顕微鏡の上面図である。図７において、図１と図２と図３に示された部材と同一の参照符号で指示された部材は同様の部材であり、その詳しい説明は省略する。
【００４９】
図７に示されるように、本実施形態の顕微鏡は、第一実施形態におけるカメラ観察用結像レンズ１６に代えて、四枚のカメラ観察用結像レンズ１６ａと１６ｂと１６ｃと１６ｄを備えている。カメラ観察用結像レンズ１６ａは光路分割用ハーフミラー１８ａとＴＶカメラ１９の間の光路上に配置されている。また、カメラ観察用結像レンズ１６ｂは光路分割用ハーフミラー１８ｂとＴＶカメラ２０の間の光路上に、カメラ観察用結像レンズ１６ｃは光路分割用ハーフミラー１８ｃとＴＶカメラ２１の間の光路上に、カメラ観察用結像レンズ１６ｄは光路分割用ハーフミラー１８ｃとＴＶカメラ２２の間の光路上に配置されている。
【００５０】
カメラ観察用結像レンズ１６ａと１６ｂと１６ｃと１６ｄは、それぞれ、その焦点距離に応じて、対応するＴＶカメラ１９と２０と２１と２２の撮像面１９ａと２０ａと２１ａと２２ａに結像させるように配置される。図７では、カメラ観察用結像レンズ１６ａと１６ｂと１６ｃと１６ｄは等しい焦点距離を有しているように描かれているが、異なる焦点距離を有していてよい。つまり、カメラ観察用結像レンズ１６ａと１６ｂと１６ｃと１６ｄの焦点距離は適宜変更されてよい。また、カメラ観察用結像レンズ１６ａと１６ｂと１６ｃと１６ｄの各レンズの焦点距離は、目視観察用結像レンズ１５の焦点距離よりもすべて短くまたは長く設定してもよい。また、焦点距離の長い光路と短い光路を混在させたり、一部のみを同焦点距離としたりしてもよい。
【００５１】
ＴＶカメラ１９と２０と２１と２２により取得される像の倍率は、前述の（１）式に従って、対応するカメラ観察用結像レンズ１６ａと１６ｂと１６ｃと１６ｄの焦点距離に応じて決まる。このため、ＴＶカメラ１９と２０と２１と２２は異なる倍率の画像を取得することができる。
【００５２】
このように、本実施形態の倒立顕微鏡は、第一実施形態の倒立顕微鏡の利点に加えて、ＴＶカメラ１９と２０と２１と２２が異なる倍率の画像を取得できるという利点を有している。また本実施形態では、一台のカメラに対して一枚のカメラ観察用結像レンズが設けられるため、さらに多くのカメラを設置することが容易に可能である。
【００５３】
また、本実施形態に対しても第一実施形態の変形例と同様の変形が適用可能である。つまり、本実施形態の倒立顕微鏡においても、光路分割用ハーフミラー１８ａと１８ｂと１８ｃが、光路分割と波長分離を兼ねるダイクロイックミラーに置き換えられてもよい。
【００５４】
各実施形態において、光路ごとにカメラ観察用結像レンズが１枚の場合について説明したが、任意の光路の結像レンズを２枚以上のレンズで構成して、光路分割用部材１８の前後に配置してもよい。
【００５５】
また、任意の結像レンズを光路に対して着脱可能と構成することにより、例えば異なる光学素子と交換するなどのシステム性の向上を図ることができる。
【００５６】
光路分割される前に焦点距離の長い結像レンズを配置し、複数の分割された観察光路にもそれぞれ結像レンズを配置することにより、第二実施形態と比べてカメラ観察用光路側の設計自由度が広がる。
【００５７】
例えば、第二実施形態において、カメラで目視観察の２倍の像を得ようとしたとき、カメラ観察用光路に焦点距離３６０ｍｍ〜４００ｍｍの結像レンズが必要となるため、それぞれの結像レンズの径が大きくなり、焦点距離も長いので、カメラ観察用光路側のフットスペースが大きくなり、ほかのユニットの配置などに制限が出る。
【００５８】
そこで、分割前に焦点距離の長い結像レンズを１つ配置することにより、分割後の複数の結像レンズは、焦点距離が短く、径も小さくなり、カメラ観察用光路側のフットスペースが小さくなり、ほかのユニットの配置や、異なる焦点距離の結像レンズの組み合わせの自由度が広がる。
【００５９】
これまで、図面を参照しながら本発明の実施形態を述べたが、本発明は、これらの実施形態に限定されるものではなく、その要旨を逸脱しない範囲において様々な変形や変更が施されてもよい。
【図面の簡単な説明】
【００６０】
【図１】図１は、本発明の第一実施形態による倒立顕微鏡の側面図である。
【図２】図１に示された倒立顕微鏡の正面図である。
【図３】図１に示された倒立顕微鏡の上面図である。
【図４】第一実施形態の変形例において使用される第一のダイクロイックミラーの波長特性のグラフである。
【図５】第一実施形態の変形例において使用される第二のダイクロイックミラーの波長特性のグラフである。
【図６】第一実施形態の変形例において使用される第三のダイクロイックミラーの波長特性のグラフである。
【図７】本発明の第二実施形態による倒立顕微鏡の上面図である。
【図８】従来例の倒立顕微鏡の側面図である。
【図９】図８に示された倒立顕微鏡の正面図である。
【図１０】図８に示された倒立顕微鏡の正面図である。
【符号の説明】
【００６１】
１…倒立顕微鏡本体、２…ステージ、３…標本、４…対物レンズ、５…レボルバー、６…レボルバー保持台、７…回転焦準ノブ、８…ランプハウス、９…光源、１０…投光管、１１…ミラーカセット、１２…ミラー、１３…光路切換プリズム、１３ａ…プリズム、１３ｂ…プリズム、１４…結像レンズ、１５…目視観察用結像レンズ、１６…カメラ観察用結像レンズ、１６ａ…カメラ観察用結像レンズ、１６ｂ…カメラ観察用結像レンズ、１６ｃ…カメラ観察用結像レンズ、１６ｄ…カメラ観察用結像レンズ、１７…カメラポート、１８…光路分割用ハーフミラー、１８ａ…光路分割用ハーフミラー、１８ｂ…光路分割用ハーフミラー、１８ｃ…光路分割用ハーフミラー、１９…ＴＶカメラ、１９ａ…撮像面、２０…ＴＶカメラ、２０ａ…撮像面、２１…ＴＶカメラ、２１ａ…撮像面、２２…ＴＶカメラ、２２ａ…撮像面、２３…ミラー、２４…接眼レンズ、２７…カメラアダプター、２８…カメラ、２８ａ…撮像面、３６…定盤、３７ａ…ブラケット、３７ｂ…ブラケット、３７ｃ…ブラケット、３８ａ…ブラケット、３８ｂ…ブラケット、３８ｃ…ブラケット、３８ｄ…ブラケット。
【図１】
2006276663.tif 000003
【図２】
2006276663.tif 000004
【図３】
2006276663.tif 000005
【図４】
2006276663.tif 000006
【図５】
2006276663.tif 000007
【図６】
2006276663.tif 000008
【図７】
2006276663.tif 000009
【図８】
2006276663.tif 000010
【図９】
2006276663.tif 000011
【図１０】
2006276663.tif 000012